(57)【特許請求の範囲】
【請求項１】
互いに対向する一対の基板間のシール材により囲まれる領域に電気光学材料を有し、前記一対の基板の一方の基板に配置されたマイクロレンズアレイは平面基板と接合材料により一体化された電気光学装置であって、
前記シール材の内側部から該シール材により囲まれる領域の内側にある有効表示領域までの距離をＬ１とし、前記シール材により囲まれる領域の幅をＬ２としたとき、Ｌ１／Ｌ２≧０．１であることを特徴とする電気光学装置。
【請求項２】
前記シール材の内側部から該シール材により囲まれる領域の内側にある有効表示領域までの領域に駆動回路が形成されていることを特徴とする請求項１に記載の電気光学装置。
【請求項３】
前記シール材の内側部から該シール材により囲まれる領域の内側にある有効表示領域までの領域に配線パターンが形成されていることを特徴とする請求項１または請求項２に記載の電気光学装置。
【請求項４】
前記接合材料が光硬化性樹脂であることを特徴とする請求項１から請求項３のうちいずれか１項に記載の電気光学装置。
【請求項５】
前記接合材料の屈折率が１．４以下であることを特徴とする請求項１から請求項４のうちいずれか１項に記載の電気光学装置。
【請求項６】
前記平面基板の板厚が４０μｍ〜１００μｍであることを特徴とする請求項１から請求項５のうちいずれか１項に記載の電気光学装置。
【請求項７】
光源と、
入射光を投射する光学系と、
前記光源と前記光学系との間に介挿され、前記光源からの光を変調して前記光学系に導く、請求項１から請求項６のうちいずれか１項に記載の電気光学装置を有するライトバルブと
を具備したことを特徴とする電子機器。
【発明の詳細な説明】
【０００１】
【発明の属する技術分野】
本発明は電気光学装置及び電子機器の技術分野に属し、特に信頼性、表示品質の高い液晶装置などの電気光学装置及び電子機器の技術分野に属する。
【０００２】
【従来の技術】
一般に、液晶装置などの電気光学装置では、マトリクスアレイ状に配設された画素により表示領域が形成されている。例えば薄膜トランジスタ（以下、ＴＦＴという。）をスイッチング素子として有するアクティブマトリクス型の液晶装置の場合、ＴＦＴアレイ基板と対向基板との間に液晶層などの電気光学物質が挟持されており、基板間隙の表示領域を囲繞するようにシール材が設けられている。このシール材により液晶層は封止されるとともに、ＴＦＴアレイ基板と対向基板とが接合される。例えば配向膜が形成されたＴＦＴアレイ基板と同じく配向膜が形成された対向基板とをシール材を介して対向配置し、液晶封入孔（予めシール材を形成していない部分）からＴＦＴアレイ基板と対向基板との間隙に液晶組成物などの電気光学物質を注入し、封入口を封止することにより液晶層は基板間隙に封止される。
【０００３】
また、ＴＦＴアレイ基板上のシール材より外側の領域には、駆動回路や駆動回路接続端子等が設けられている。更に、ＴＦＴアレイ基板の表面及び対向基板の表面には、それぞれ液晶分子を保持するための、ラビング処理等の所定の配向処理が施されたポリイミド薄膜などの有機薄膜からなる配向膜が設けられている。ＴＦＴアレイ基板には、表示領域にＴＦＴや画素電極、各種配線が形成され、その外側の領域に駆動回路や駆動回路接続端子等が形成されている。
【０００４】
さらに入射光の集光効率を向上するため、一対の基板の一方の基板には、１画素毎に対応するようにマイクロレンズが１個、あるいは複数個配置されたマイクロレンズアレイを使用する場合がある。なお、光入射側基板は、レンズの凹凸が液晶の配向に影響を及ぼす為、液晶層側に平面基板をマイクロレンズアレイ基板に接合、一体化されるのが一般的である。
【０００５】
【発明が解決しようとする課題】
しかしながら、このような構成の電気光学装置では、投射型表示装置のライトバルブとして用いた場合、昨今の光源ランプの高輝度化に伴い、長時間使用していると、領域の外周に近い部分に境界線状のムラが発生する場合がある、という課題がある。発明者の考察では、マイクロレンズアレイ基板と平面基板を接合、一体化している接着樹脂層の変質が集光率を良好とするために薄板化された平面基板まで作用することによる。接着樹脂層は、レンズの集光率を良好とする為、光学特性の屈折率は約１．４以下で調整される。当然、接着樹脂層はπ電子共役系を抑えて設計するため、二重結合の少ない直鎖系主体の材料となる。接着樹脂層として光硬化性材料を用いた場合、光照射により光重合が進みにくいため、完全に重合反応を終了させることが難しく、使用時に該接着層に光が照射されることによって経時的に重合反応がさらに進行し、これに起因して接着層に体積変化、密度変化が生じ、そしてこのことが基板に応力変形を生じさせ、表示領域の外周に近い部分に境界線が生じている。
【０００６】
本発明は上述した問題点に鑑みなされたものであり、表示領域の外周に近い部分に生じた境界線によって表示品質が劣化することを防止することができる電気光学装置及び電子機器を提供することを課題とする。
【０００７】
【課題を解決するための手段】
かかる課題を解決するため、本発明の電気光学装置は、互いに対向する一対の基板間のシール材により囲まれる領域に電気光学材料を有し、前記一対の基板の一方の基板に配置されたマイクロレンズアレイは平面基板と接合材料により一体化された電気光学装置であって、前記シール材の内側部から該シール材により囲まれる領域の内側にある有効表示領域までの距離をＬ１とし、前記シール材により囲まれる領域の幅をＬ２としたとき、Ｌ１／Ｌ２≧０．１であることを特徴とする。
【０００８】
本発明のかかる構成によれば、シール材の内側部から該シール材により囲まれる領域の内側にある有効表示領域までの距離をＬ１とし、シール材により囲まれる領域の幅をＬ２としたとき、Ｌ１／Ｌ２≧０．１であるので、表示領域の外周に近い部分に生じた境界線を有効表示領域より外側に、即ちシール材の内側部から該シール材により囲まれる領域の内側にある有効表示領域までの間に位置させることができる。これにより、境界線状のムラが発生した場合でも表示されることはなくなり、表示品質の劣化を防止することができる。しいては製品寿命を向上することが可能となる。なお、本発明ではＬ１／Ｌ２≧０．１５であることがより好ましく、これにより境界線が表示されることは皆無となる。
【０００９】
本発明の一の態様は、前記シール材の内側部から該シール材により囲まれる領域の内側にある有効表示領域までの領域に駆動回路や配線パターンが形成されていることを特徴とする。
【００１０】
本発明では、Ｌ１／Ｌ２≧０．１としているので、有効表示領域が狭くなるが、有効表示領域以外の領域（シール材の内側部から該シール材により囲まれる領域の内側にある有効表示領域までの領域）に駆動回路や配線パターンを形成することにより、基板上のシール材より外側の駆動回路や配線パターンが形成されていた領域が不要となり、シール材により囲まれる領域を拡張可能となり、有効表示領域は実質的に狭くなることはない。
【００１１】
本発明の一の態様は、前記接合材料が光硬化性樹脂であることを特徴とする。
【００１２】
また、本発明の一の態様は、前記接合材料の屈折率が１．４以下であることを特徴とする。
【００１３】
さらに、本発明の一の態様は、前記平面基板の板厚が４０μｍ〜１００μｍであることを特徴とする
かかる構成では、特に上記の境界線が発生しやすいので、本発明を適用することがより効果的である。
【００１４】
本発明の電子機器は、光源と、入射光を投射する光学系と、前記光源と前記光学系との間に介挿され、前記光源からの光を変調して前記光学系に導く、請求項１から請求項６のうちいずれか１項に記載の電気光学装置を有するライトバルブとを具備したことを特徴とする。
【００１５】
例えばプロジェクターと呼ばれる投写型液晶装置などの場合、光源光強度が大きいため光重合による接着層の体積変化の影響がより顕著にみられる本発明の電気光学装置を採用することにより、電子機器の表示品質を大きく向上することができる。特にＲＧＢの光をそれぞれ変調するいわゆる３板式のプロジェクタの場合、より波長の短いＢ光（青色光）を変調するためのライトバルブを構成する電気光学装置に前述した問題が顕著にみられる。したがってＢ光（青色光）を変調するためのライトバルブを構成する電気光学装置に選択的に本発明の電気光学装置を適用するようにしてもよい。
【００１６】
【発明の実施の形態】
以下、本発明の実施の形態を図面に基づいて説明する。
【００１７】
（電気光学装置の一実施形態の構成及び作用）
本発明による液晶装置の一実施形態の構成及び作用について、図１乃至図４を参照して説明する。図１は本実施形態の透過回路図であり、図２は本実施形態に係る液晶装置の平面図であり、図３は図２に示した液晶装置におけるＨ−Ｈ’断面図である。図４は、図２の断面図の基板周辺の拡大断面図である。
【００１８】
本実施の形態による液晶装置の画像表示領域を構成するマトリクス状に形成された複数の画素は、画素電極１１及び画素電極１１を制御するためのＴＦＴ３０とからなり、画像信号が供給されるデータ線３５が当該ＴＦＴ３０のソースに電気的接続されている。データ線３５に書き込む画像信号Ｓ１、Ｓ２、…、Ｓｎは、この順に線順次に供給されている。
【００１９】
ＴＦＴ３０のゲート電極にはパルス的に走査信号Ｇ１、Ｇ２、…、Ｇｍが、この順に線順次で印加するように構成されている。画素電極１１は、ＴＦＴ３０のドレインに電気的接続されており、ＴＦＴ３０を一定期間だけそのスイッチを閉じることにより、データ線３５から供給される画像信号Ｓ１、Ｓ２、…、Ｓｎを所定のタイミングで書き込む。画素電極１１を介して液晶に書き込まれた所定レベルの画像信号Ｓ１、Ｓ２、…、Ｓｎは、対向基板（後述する）に形成された対向電極（後述する）との間で一定期間保持される。液晶は、印加される電圧レベルにより分子集合の配向や秩序が変化することにより、光を変調し、階調表示を可能にする。ここで、保持された画像信号がリークするのを防ぐために、画素電極９と対向電極との間に形成される液晶容量と並列に蓄積容量７０を付加する。容量線３４を設けても良いし、前段の走査線３１を容量線の代わりに用いてもよい。
【００２０】
図２は、図１の透過回路を有する電気光学装置の平面図であり、図２に示すように、光透過性のＴＦＴアレイ基板１０上には、有効表示領域２０１ａ、この有効表示領域２０１ａを囲むように非表示領域２０１ｂ及びこれらの領域２０１ａ、２０１ｂを囲むようにシール材５２が設けられ、ＴＦＴアレイ基板１０と対向基板２０とはシール材により接着されている。
【００２１】
シール材５２の途切れ部分からなる液晶注入口２０３が設けられている。この液晶注入口２０３は例えばシール材５２と同一または異なる材料からなる封止部材２０４により塞がれている。
【００２２】
有効表示領域２０１ａには、図１に示されるようにデータ線３５及び走査線３１が縦横に交差するように配置されていると共に、これらの配線により囲まれる各領域にマトリクス状に複数形成された例えばＩＴＯ（Ｉｎｄｉｕｍ  Ｔｉｎ  Ｏｘｉｄｅ）膜などの透明導電性薄膜からなる画素電極１１と画素電極を制御するためのＴＦＴ３０とが配置されている。そして、ＴＦＴ３０やこれらの電極等の上には配向膜１５が形成されている。
【００２３】
シール材５２より外側の領域には、駆動回路接続端子１０２がＴＦＴアレイ基板１０の一辺に沿って設けられている。一方、非表示領域２０１ｂには、データ線駆動回路１０１が駆動回路接続端子１０２と平行するようにＴＦＴアレイ基板１０の一辺に沿って設けられ、走査線駆動回路１０４が例えばこの一辺に隣接する２辺に沿って設けられ、残る一辺には非表示領域２０１ｂの両側に設けられた走査線駆動回路１０４間をつなぐための複数の配線１０５が設けられている。また、対向基板２０のコーナ部の少なくとも１箇所においては、ＴＦＴアレイ基板１０と対向基板２０との間で電気的導通をとるための導通材１０６が設けられている。
【００２４】
図３に示すように、ＴＦＴアレイ基板１０上には、図２に示したシール材５２とほぼ同じ輪郭を持つ透明基板である対向基板２０が対向配置され、これらＴＦＴアレイ基板１０と対向基板２０との間のシール材５２により囲まれた空間に液晶が封入され、液晶層５０が形成される。液晶層５０は、画素電極からの電界が印加されていない状態で配向膜により所定の配向状態を採る。液晶層５０は、例えば一種又は数種類のネマティック液晶を混合した液晶からなる。シール材５２は、ＴＦＴアレイ基板１０及び対向基板２０をそれらの周辺で貼り合わせるための、例えば光硬化性樹脂や熱硬化性樹脂からなる接着剤であり、両基板間の距離を所定値とするためのグラスファイバー或いはガラスビーズ等のスペーサが混入されている。
【００２５】
上記のＴＦＴアレイ基板１０は、例えば石英基板からなり、対向基板２０は、例えばガラス基板や石英基板からなる。また、対向基板２０には、遮光膜２４を有し、その上にその全面に渡って対向電極（共通電極）２３が設けられており、その上には、ラビング処理等の所定の配向処理が施された配向膜１６が設けられている。対向電極２３は例えば、ＩＴＯ膜などの透明導電性薄膜からなる。また配向膜１６は、ポリイミド薄膜などの有機薄膜からなる。
【００２６】
また、図４に示されるように、対向基板２０はアクリル系樹脂等からなる接着樹脂層２２を介して各画素電極に対応するようなマイクロレンズアレイ２１と平面基板２５が接合、一体化されている。このマイクロレンズアレイ２１によって入射光の集光効率を向上することで、明るい液晶装置が実現できる。さらに、マイクロレンズアレイ２１のＴＦＴアレイ基板１０と対向する面と反対面にはシリコン系の接着剤を介して該対向基板２０とほぼ同形状の透明基板２０５が貼付され、ＴＦＴアレイ基板１０の表面（対向基板２０と対向する面と反対面）にはシリコン系或いは他の部材からなる接着剤を介して該ＴＦＴアレイ基板とほぼ同形状の透明基板２０６が貼付されていてもよい。これら透明基板２０５及び２０６は、対向基板２０の表面やＴＦＴアレイ基板１０の表面を傷等から保護すると共に、例えば当該液晶装置が液晶プロジェクタ等に用いられたときに表面に付着したごみ等を光路上の焦点からできる限りずらし、これらがはっきりと表示映像上に表示されるのを防止することができる。
【００２７】
ここで、シール材５２の内側部５２ａから有効表示領域２０１ａまでの距離をＬ１とし、シール材５２により囲まれる領域（有効表示領域２０１ａと非表示領域２０１ｂとを併せた領域）の幅をＬ２としたとき、Ｌ１／Ｌ２≧０．１、より好ましくはＬ１／Ｌ２≧０．１５とされている。なお、シール材５２により囲まれる矩形の領域の横方向及び縦方向の両方についてこのような値となっている。
【００２８】
このように本実施形態の液晶装置では、上記の如くＬ１／Ｌ２との比が規定されているので、表示領域の外周に近い部分に生じた境界線２０８を有効表示領域２０１ａより外側の非表示領域２０１ｂに位置させることができる。これにより、境界線状のムラ２０８が表示されることはなくなり、表示品質の劣化を防止することができる。
【００２９】
また、本実施形態では、特に非表示領域２０１ｂにデータ線駆動回路１０１、走査線駆動回路１０４及び配線１０５を配置するように構成したので、ＴＦＴアレイ基板１０上のシール材５２より外側の駆動回路や配線パターンが形成されていた領域が不要となり、シール材５２により囲まれる領域（有効表示領域２０１ａと非表示領域２０１ｂとを併せた領域）を拡張可能となり、有効表示領域２０１ａは実質的に狭くなることはない。
【００３０】
なお、非表示領域２０１ｂにデータ線駆動回路１０１、走査線駆動回路１０４及び配線１０５を配置することなく、これらデータ線駆動回路１０１、走査線駆動回路１０４及び配線１０５をシール材５２より外側の領域に配置しても構わない。図５はその場合の液晶装置の平面図であり、図６は図５に示した液晶装置におけるＨ−Ｈ’断面図である。即ち、シール材５２の外側の領域には、データ線駆動回路１０１及び駆動回路接続端子１０２がＴＦＴアレイ基板１０の一辺に沿って設けられており、走査線駆動回路１０４が、例えばこの一辺に隣接する２辺に沿って設けられている。また、ＴＦＴアレイ基板１０の残る一辺には、表示領域２０４の両側に設けられた走査線駆動回路１０４間をつなぐための複数の配線１０５が設けられている。
【００３１】
また、上記実施の形態における液晶装置のＴＦＴアレイ基板１０上には更に、製造途中や出荷時の当該液晶装置の品質、欠陥等を検査するための検査回路等を形成してもよい。また、データ線駆動回路１０１及び走査線駆動回路１０４をＴＦＴアレイ基板１０の上に設ける代わりに、例えばＴＡＢ（テープオートメイテッドボンディング基板）上に実装された駆動用ＬＳＩに、ＴＦＴアレイ基板１０の周辺部に設けられた異方性導電フィルムを介して電気的及び機械的に接続するようにしてもよい。また、対向基板２０の投射光が入射する側及びＴＦＴアレイ基板１０の出射光が出射する側には各々、例えば、ＴＮ（ツイステッドネマティック）モード、ＳＴＮ（スーパーＴＮ）モード、Ｄ−ＳＴＮ（ダブル−ＳＴＮ）モード等の動作モードや、ノーマリーホワイトモード／ノーマリーブラックモードの別に応じて、偏光フィルム、位相差フィルム、偏光手段などが所定の方向で配置される。
【００３２】
また、上記実施の形態における液晶装置は、例えばカラー液晶プロジェクタ（投射型表示装置）に適用されるため、３枚の液晶装置がＲＧＢ用のライトバルブとして各々用いられ、各パネルには各々ＲＧＢ色分解用のダイクロイックミラーを介して分解された各色の光が投射光として各々入射されることになる。従って、この実施の形態では、対向基板２０に、カラーフィルタは設けられていない。しかしながら、所定領域にＲＧＢのカラーフィルタをその保護膜と共に、対向基板２０上に形成してもよい。このようにすれば、液晶プロジェクタ以外の直視型や反射型のカラー液晶テレビなどのカラー液晶装置に各実施の形態における液晶装置を適用できる。更に、対向基板２０上に、何層もの屈折率の相違する干渉層を堆積することで、光の干渉を利用して、ＲＧＢ色を作り出すダイクロイックフィルタを形成してもよい。このダイクロイックフィルタ付き対向基板によれば、より明るいカラー液晶装置が実現できる。
【００３３】
（電子機器）
上記の液晶装置を用いた電子機器の一例として、投射型表示装置の構成について、図７を参照して説明する。図７において、投射型表示装置１１００は、上述した液晶装置を３個用意し、夫々ＲＧＢ用の液晶装置９６２Ｒ、９６２Ｇ及び９６２Ｂとして用いた投射型液晶装置の光学系の概略構成図を示す。
【００３４】
本例の投射型表示装置の光学系には、前述した光源装置９２０と、均一照明光学系９２３が採用されている。そして、投射型表示装置は、この均一照明光学系９２３から出射される光束Ｗを赤（Ｒ）、緑（Ｇ）、青（Ｂ）に分離する色分離手段としての色分離光学系９２４と、各色光束Ｒ、Ｇ、Ｂを変調する変調手段としての３つのライトバルブ９２５Ｒ、９２５Ｇ、９２５Ｂと、変調された後の色光束を再合成する色合成手段としての色合成プリズム９１０と、合成された光束を投射面１００の表面に拡大投射する投射手段としての投射レンズユニット９０６を備えている。また、青色光束Ｂを対応するライトバルブ９２５Ｂに導く導光系９２７をも備えている。なお前述のように、青色光束Ｂを対応するライトバルブ９２５Ｂを構成する液晶装置に選択的に本発明を適用するようにしてもよい。
【００３５】
均一照明光学系９２３は、２つのレンズ板９２１、９２２と反射ミラー９３１を備えており、反射ミラー９３１を挟んで２つのレンズ板９２１、９２２が直交する状態に配置されている。均一照明光学系９２３の２つのレンズ板９２１、９２２は、それぞれマトリクス状に配置された複数の矩形レンズを備えている。光源装置９２０から出射された光束は、第１のレンズ板９２１の矩形レンズによって複数の部分光束に分割される。そして、これらの部分光束は、第２のレンズ板９２２の矩形レンズによって３つのライトバルブ９２５Ｒ、９２５Ｇ、９２５Ｂ付近で重畳される。従って、均一照明光学系９２３を用いることにより、光源装置９２０が出射光束の断面内で不均一な照度分布を有している場合でも、３つのライトバルブ９２５Ｒ、９２５Ｇ、９２５Ｂを均一な照明光で照明することが可能となる。
【００３６】
各色分離光学系９２４は、青緑反射ダイクロイックミラー９４１と、緑反射ダイクロイックミラー９４２と、反射ミラー９４３から構成される。まず、青緑反射ダイクロイックミラー９４１において、光束Ｗに含まれている青色光束Ｂおよび緑色光束Ｇが直角に反射され、緑反射ダイクロイックミラー９４２の側に向かう。赤色光束Ｒはこのミラー９４１を通過して、後方の反射ミラー９４３で直角に反射されて、赤色光束Ｒの出射部９４４からプリズムユニット９１０の側に出射される。
【００３７】
次に、緑反射ダイクロイックミラー９４２において、青緑反射ダイクロイックミラー９４１において反射された青色、緑色光束Ｂ、Ｇのうち、緑色光束Ｇのみが直角に反射されて、緑色光束Ｇの出射部９４５から色合成光学系の側に出射される。緑反射ダイクロイックミラー９４２を通過した青色光束Ｂは、青色光束Ｂの出射部９４６から導光系９２７の側に出射される。本例では、均一照明光学素子の光束Ｗの出射部から、色分離光学系９２４における各色光束の出射部９４４、９４５、９４６までの距離がほぼ等しくなるように設定されている。
【００３８】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
【００３９】
このように平行化された赤色、緑色光束Ｒ、Ｇは、ライトバルブ９２５Ｒ、９２５Ｇに入射して変調され、各色光に対応した画像情報が付加される。すなわち、これらの液晶装置は、不図示の駆動手段によって画像情報に応じてスイッチング制御されて、これにより、ここを通過する各色光の変調が行われる。一方、青色光束Ｂは、導光系９２７を介して対応するライトバルブ９２５Ｂに導かれ、ここにおいて、同様に画像情報に応じて変調が施される。尚、本例のライトバルブ９２５Ｒ、９２５Ｇ、９２５Ｂは、それぞれさらに入射側偏光手段９６０Ｒ、９６０Ｇ、９６０Ｂと、出射側偏光手段９６１Ｒ、９６１Ｇ、９６１Ｂと、これらの間に配置された液晶装置９６２Ｒ、９６２Ｇ、９６２Ｂとからなる液晶ライトバルブである。
【００４０】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、ライトバルブ９２５Ｂの手前側に配置した集光レンズ９５３とから構成されている。集光レンズ９４６から出射された青色光束Ｂは、導光系９２７を介して液晶装置９６２Ｂに導かれて変調される。各色光束の光路長、すなわち、光束Ｗの出射部から各液晶装置９６２Ｒ、９６２Ｇ、９６２Ｂまでの距離は青色光束Ｂが最も長くなり、したがって、青色光束の光量損失が最も多くなる。しかし、導光系９２７を介在させることにより、光量損失を抑制することができる。
【００４１】
各ライトバルブ９２５Ｒ、９２５Ｇ、９２５Ｂを通って変調された各色光束Ｒ、Ｇ、Ｂは、色合成プリズム９１０に入射され、ここで合成される。そして、この色合成プリズム９１０によって合成された光が投射レンズユニット９０６を介して所定の位置にある投射面１００の表面に拡大投射されるようになっている。
【００４２】
このような構成を有する液晶プロジェクタにおいて、各ライトバルブを本発明の構成を有することにより、光照射によって接着層２２に生じる体積変化に起因する信頼性、表示品質の劣化を防止することができる。
【図面の簡単な説明】
【図１】本発明の一実施形態に係る液晶装置の透過回路図である。
【図２】本発明の一実施形態に係る液晶装置のＴＦＴアレイ基板をその上に形成された各構成要素と共に対向基板の側から見た平面図である。
【図３】図１に示した液晶装置におけるＨ−Ｈ’断面図である。
【図４】図３のシール材周辺の部分拡大断面図である。
【図５】本発明の他の実施形態に係る液晶装置のＴＦＴアレイ基板をその上に形成された各構成要素と共に対向基板の側から見た平面図である。
【図６】図３に示した液晶装置におけるＨ−Ｈ’断面図である。
【図７】本発明の液晶装置を用いた電子機器の一例である投射型表示装置の構成を示す図である。
【符号の説明】
１０…ＴＦＴアレイ基板
２０…対向基板
２１…マイクロレンズアレイ
２２…接着樹脂層
２４…遮光膜
２３…対向電極
２５…平面基板
５０…液層層
５２…シール材
５２ａ…シール材の内側部
１０１…データ線駆動回路
１０４…走査線駆動回路
１０５…配線
２０１ａ…有効表示領域
２０１ｂ…非表示領域
２０８…境界線
【図１】
0003613067.tif 000002
【図２】
0003613067.tif 000003
【図３】
0003613067.tif 000004
【図４】
0003613067.tif 000005
【図５】
0003613067.tif 000006
【図６】
0003613067.tif 000007
【図７】
0003613067.tif 000008